(57)【要約】【課題】画面にバーコード情報を表示するディスプレイ装置におけるバーコード情報の読み取りを、良好に行うことが可能となるディスプレイ装置を実現することを目的とする。【解決手段】画面２にバーコード情報４の表示を行うディスプレイ装置１であって、バーコード情報４の表示と同時に、前記バーコード情報４の表示状態の調整を行うための制御インターフェイス６を画面２上に表示し、この制御インターフェイス６により、前記バーコード情報４を表示しながらその表示状態を調整することが可能なように構成されたディスプレイ装置１である。【選択図】図１
2007156215.tif 000002
【特許請求の範囲】
【請求項１】
画面にバーコード情報の表示を行うディスプレイ装置であって、バーコード情報の表示と同時に、前記バーコード情報の表示状態の調整を行うための制御インターフェイスを画面上に表示し、この制御インターフェイスにより、前記バーコード情報を表示しながらその表示状態を調整することが可能なように構成されたディスプレイ装置。
【請求項２】
前記制御インターフェイスが、バーコード情報の表示に対しての、輝度調整、感度調整、サイズ調整、表示位置調整の中から選ばれる少なくとも一つである請求項１に記載のディスプレイ装置。
【発明の詳細な説明】
【技術分野】
【０００１】
本発明は、バーコード情報をその画面上に表示するディスプレイ装置に関するものである。
【背景技術】
【０００２】
例えば、ディスプレイ部に、バーコード情報として、製造モデル，製造仕様，付属品仕様，アフターサービス回数などのアフターサービス情報、および使用時間などの使用情報が表示され、その表示されたバーコード情報を、アフターサービス担当者がバーコードスキャナを利用して読み取るというディスプレイ装置およびその表示方法がある（特許文献１参照）。
【特許文献１】特開２００３−５７３３号公報
【発明の開示】
【発明が解決しようとする課題】
【０００３】
ところで、上記のディスプレイ装置およびその表示方法においては、表示されたバーコード情報を読み取る際、なかなか読み取ることができないという問題が発生する場合があった。
【０００４】
本発明はこのような現状に鑑みなされたもので、画面にバーコード情報を表示するディスプレイ装置におけるバーコード情報の読み取りを、良好に行うことが可能となるディスプレイ装置を実現することを目的とする。
【課題を解決するための手段】
【０００５】
この課題を解決するために本発明のディスプレイ装置は、画面にバーコード情報の表示を行うディスプレイ装置であって、バーコード情報の表示と同時に、前記バーコード情報の表示状態の調整を行うための制御インターフェイスを画面上に表示し、この制御インターフェイスにより、前記バーコード情報を表示しながらその表示状態を調整することが可能なように構成されたものである。
【発明の効果】
【０００６】
本発明のディスプレイ装置によれば、画面にバーコード情報を表示するディスプレイ装置におけるバーコード情報の読み取りを、良好に行うことが可能となる。
【発明を実施するための最良の形態】
【０００７】
図１は、本発明の一実施の形態によるディスプレイ装置１の画面表示状態の一例の概略を示す図である。図１に示すように、ディスプレイ装置１の画面２には、バーコード表示部３が表示され、このバーコード表示部３には、バーコード情報４を表示するバーコード情報表示領域５と、バーコード情報４の表示状態を調整するためのインターフェイス６を表示するインターフェイス表示領域７とが表示される。
【０００８】
図２は、バーコード表示部３の一例を示す図である。図１で示したものと同じものには同じ符号を付している。
【０００９】
インターフェイス表示領域７で表示されるインターフェイス６として、制御ボタン６１、制御ボタン６２、制御ボタン６３・・・、が提供され、表示されている。これら、インターフェイス６としての制御ボタン６１、６２、６３、・・・、は、バーコード情報表示領域５に表示されるバーコード情報４の表示状態の調整に必要とされる数だけ提供される。ここで、制御ボタン６１は、例えば、バーコード表示部３の画面２内での表示位置を調整するための画面位置制御ボタンであったり、制御ボタン６２は、画面２の輝度を調整するための画面輝度制御ボタンであったり、制御ボタン６３は、バーコード情報４の表示サイズを調整するための画面サイズ制御ボタンであったりする。
【００１０】
次に、制御ボタン６１の画面位置制御ボタンを選択した場合を例に、以下、説明する。なお、制御ボタン６１の選択方法としては、リモコンやディスプレイ装置本体での入力キーにより選択するという方法や、ディスプレイ装置がタッチパネル式に対応する場合には、制御ボタン６１の表示されている箇所に触れるという方法を挙げることができる。
【００１１】
以上のようにして、画面位置制御ボタンである制御ボタン６１を選択すると、例えば、図３に示すように、インターフェイス表示領域７には、画面位置の調整に対応したインターフェイス６が表示される。具体的には、バーコード表示部３の、画面２内での位置移動を行うための位置移動制御ボタン６４、６５、６６、６７、および図２に示す初期のインターフェイス６の画面状態に戻るための戻るボタン８が表示される。
【００１２】
このような状態で、ユーザーは、図４に示すように、位置移動制御ボタン６４、６５、６６、６７を適宜選択することにより、バーコード表示部３の画面２での位置を確認しながらバーコード表示部の位置を調整することができる。なお図４では、位置移動制御ボタン６５を選択することで、バーコード表示部３を画面２内で右方向に移動させている状態を示している。
【００１３】
ここで、バーコード情報表示領域５のバーコード情報４の表示状態を調整するための制御パラメータとしては、上述した、バーコード表示部３の画面２内での表示位置の調整である画面位置制御以外に、例えば、画面２の輝度を調整するための画面輝度制御や、バーコード情報４の表示サイズを調整するための画面サイズ制御、および、バーコード情報４の認識の感度に関わる画面制御パラメータを調整することでバーコード情報の感度を調整する画面感度制御、などを挙げることができる。
【００１４】
また、バーコード情報表示領域５のバーコード情報４の表示状態を調整するためのインターフェイス６を表示している際、および、表示されているインターフェイス６を選択し、バーコード情報４の表示状態を調整している間など、その一連の操作の間、バーコード情報表示領域５のバーコード情報４は常に表示された状態を保っている。したがって、ユーザーは、バーコード情報４の表示状態を確認しながらその表示状態を調整することが可能である。
【００１５】
以上の結果、従来、画面２に表示されたバーコード情報４をバーコードリーダーなどで読み取る際に、画面２の輝度が明るすぎてバーコード情報４を認識しにくくなるという問題や、バーコードリーダーと画面２に表示されるバーコード情報４との、位置、サイズ、認識感度の不整合で、バーコード情報４が認識されにくくなるといった問題に対し、その発生を大幅に抑制することが可能となり、良好なバーコード情報の読み取りを実現することができるようになる。
【産業上の利用可能性】
【００１６】
以上のように本発明によれば、画面にバーコード情報を表示するディスプレイ装置におけるバーコード情報の読み取りを、良好に行うことを可能とするディスプレイ装置を提供することができる。
【図面の簡単な説明】
【００１７】
【図１】本発明の一実施の形態によるディスプレイ装置１の画面表示状態の一例の概略を示す図
【図２】バーコード表示部の一例を示す図
【図３】画面位置の調整に対応したインターフェイスの一例を示す図
【図４】位置移動制御ボタンを選択することで、バーコード表示部を画面内で移動させている状態を示す図
【符号の説明】
【００１８】
１  ディスプレイ装置
２  画面
３  バーコード表示部
４  バーコード情報
５  バーコード情報表示領域
６  インターフェイス
７  インターフェイス表示領域
８  戻るボタン
６１、６２、６３  制御ボタン
６４、６５、６６、６７  位置移動制御ボタン
【図１】
2007156215.tif 000003
【図２】
2007156215.tif 000004
【図３】
2007156215.tif 000005
【図４】
2007156215.tif 000006